(57)【要約】【課題】  簡易な機構により、効率よく集音する録音可能なデジタルカメラを提供することを目的とする。【解決手段】  レンズ鏡筒５の外周面５ｃに第一マイク１０を設ける。撮影レンズ６に撮影画角外からの光線が入射することを制限するレンズフード９を装着したときに、被写体側からの音声をレンズフード９の内面９ａで反射させて前記第一マイク１０で受けるようにする。第一マイク１０により被写体の音声が効率よく取得できる。さらに、撮影者の音声を取得する第二マイク１９を備えるのが好ましい。【選択図】        図１
2005124045.tif 000002
【特許請求の範囲】
【請求項１】
撮影レンズを組み込んだレンズ鏡筒が撮影時にカメラボディの前方に繰り出されるとともに、録音が可能なデジタルカメラにおいて、
前記レンズ鏡筒の外周面に第一マイクを設け、撮影画角外からの光線が撮影レンズに入射することを制限するレンズフードを装着したときに、被写体側からの音声をレンズフードの内面で反射させて前記第一マイクで受けるようにしたことを特徴とするデジタルカメラ。
【請求項２】
カメラボディの背面に、撮影者の発した音声を受ける第二マイクを設けたことを特徴とする請求項１記載のデジタルカメラ。
【請求項３】
静止画撮影モードと動画撮影モードとの間で切替え可能であり、前記第一マイクは動画撮影モードへの切替えに連動して有効化されることを特徴とする請求項２記載のデジタルカメラ。
【請求項４】
前記レンズ鏡筒は、カメラボディに固定され前記レンズフードの装着部が設けられた固定筒の内側に光軸方向に移動自在に組み込まれ、レンズ鏡筒が固定筒に沈胴したときには前記第一マイクが固定筒内部の格納位置に収納されることを特徴とする請求項１ないし３記載のいずれか記載のデジタルカメラ。
【請求項５】
前記第一マイクはレンズ鏡筒の外周面から突出した音声取得位置と前記格納位置との間で移動自在であり、レンズ鏡筒が固定筒に沈胴することに連動して突出した音声取得位置から没入した格納位置に移動されることを特徴とする請求項４記載のデジタルカメラ。
【発明の詳細な説明】
【技術分野】
【０００１】
本発明は、録音可能なデジタルカメラに関するものである。
【背景技術】
【０００２】
ＣＣＤイメージセンサなどで静止画を撮影し、その画像データをメモリに保存するデジタルカメラの中には、撮影の前後に適宜のメッセージを音声データにして記録する機能をもったものがある。また、最近では、静止画だけでなく動画も撮影できるようにしたデジタルカメラが商品化され、動画の撮影中は被写体側からの音も記録することができるようになっている。
【０００３】
音声データを得るためにデジタルカメラにはマイクが内蔵される。撮影者のメッセージを記録するには、カメラボディの適宜の個所にマイクを内蔵させれば十分であるが、例えば動画の撮影時に被写体側から音を拾うにはカメラボディの前面側にマイクを設ける必要がある。特許文献１に記載されたカメラでは、カメラの駆動音などがノイズとして拾われることがないように、カメラボディにマイクを直接内蔵させずにレンズ鏡筒の前端部に開閉自在に軸着されたレンズキャップにマイクを内蔵させている。
【０００４】
【特許文献１】特開平０９−００９１２２号公報
【発明の開示】
【発明が解決しようとする課題】
【０００５】
特許文献１に記載された手法は、カメラボディからの振動音がノイズとして拾われることがないという利点はあるものの、レンズキャップをレンズ鏡筒の前端に軸着するための構造や、その使用時にマイクが正しく被写体側に向くようにレンズキャップを位置決めする機構が必要になり、構造の複雑化やコストアップが避けられない。また、レンズキャップにマイクを内蔵させただけでは十分な集音効果は得られず、被写体距離が遠くなるとマイクで拾える音量が低下しやすい。さらに、撮影時にはレンズ鏡筒の先端部にレンズキャップが開放されたままの状態となるため、デザイン的にもあまり好ましいものとは言えず、カメラを操作するときにレンズキャップが邪魔になるなど、操作性の点でも不利がある。
【０００６】
本発明は以上を考慮してなされたもので、被写体側からの音声を効率的に拾って録音することができ、しかも外観デザインや操作性の点でも有利なデジタルカメラを提供することを目的とする。
【課題を解決するための手段】
【０００７】
上記目的を達成するために、本発明のデジタルカメラでは、カメラボディから繰り出されるレンズ鏡筒の外周面に第一マイクを設け、撮影画角外からの光線が撮影レンズに入射することを制限するレンズフードを装着したときに、被写体側からの音声をレンズフードの内面で反射させて前記第一マイクで受けるようにして集音効果を高めるようにしている。
【０００８】
また、カメラボディの背面に、撮影者の発した音声を受ける第二マイクを設け、撮影者のメッセージなども簡便に録音することができるようにすることも効果的である。さらに、デジタルカメラが静止画撮影モードと動画撮影モードとの間で切替え可能であるときには、前記第一マイクを動画撮影モードへの切替えに連動して有効化するのが有効である。
【０００９】
前記レンズ鏡筒をカメラボディに固定され前記レンズフードの装着部が設けられた固定筒の内側に光軸方向に移動自在に組み込んだ場合には、レンズ鏡筒が固定筒に沈胴したときに前記第一マイクを固定筒内部の格納位置に収納し、さらには、前記第一マイクをレンズ鏡筒の外周面から突出した音声取得位置と前記格納位置との間で移動自在にしておき、レンズ鏡筒が固定筒に沈胴することに連動して音声取得位置から格納位置に移動させることもマイクの保護や外観デザインの良化を図るうえで好ましい。
【発明の効果】
【００１０】
本発明によれば、簡易な機構で見た目にもシンプルであり、効率よく集音した音声を録音可能なデジタルカメラを提供できる。
【発明を実施するための最良の形態】
【００１１】
デジタルカメラの外観を示す図１において、カメラボディ２の前面にストロボ発光窓３と固定筒４が設けられている。固定筒４には光軸方向に進退自在なレンズ鏡筒５が組み込まれ、使用時には図示のように使用位置に繰り出される。また、電源スイッチ（図示なし）をオフ操作したときには、レンズ鏡筒５の先端面５ａが固定筒４の先端面４ａとほぼ合致する位置まで繰り込まれ、沈胴状態になる。レンズ鏡筒５にはズームレンズを構成するレンズ群６が組み込まれ、ズーミング操作を行ったときにはレンズ鏡筒５の内部で変倍レンズが移動してズーミングが行われレンズ鏡筒自体は移動しない。また、ピント合わせが行われるときにもレンズ鏡筒の内部でフォーカス用のレンズが移動し、レンズ鏡筒自体は移動しない。
【００１２】
固定筒の先端部内周４ｂ（図２参照）及びレンズフード端部外周９ｂにはネジ山が形成され、レンズフード９を螺合により装着することができる。レンズフード９は、撮影画角外からの不要な光線がレンズ群６に入射しないように制限し、ゴーストやフレアの発生を防ぐ。レンズフード９は固定筒４に装着されるため、レンズ鏡筒５はその突出位置においてもレンズフード９で外周５ｃが包みこまれた状態となる。また、レンズ鏡筒は、固定筒にレンズフード９を装着したままでも沈胴位置に繰り込むことができるようになっている。
【００１３】
レンズ鏡筒５には、外周面５ｃから突出するように第一マイク１０が設けられている。図２に示すように、第一マイク１０はマイク保護カバー１１を軸１２で軸着することによりレンズ鏡筒５に回動自在に組み込まれ、バネ１３により図示の音声取得位置に向けて付勢されている。そして、レンズ鏡筒５が沈胴位置に移動したときにはマイク保護カバー１１が固定筒の内壁４ｃに当接し、バネ１３の付勢に抗して格納位置に押し込まれる。第一マイク１０からの信号線１４はレンズ鏡筒５に沿ってカメラボディ側に引き出され、詳しくは後述するように音声データ処理回路４４（図４参照）につながるＡ／Ｄ変換回路４３（図４参照）に接続される。
【００１４】
レンズフード９はこのデジタルカメラの専用アクセサリとして供給され、全体的にパラボリック形状となっている。そして、使用したときには、図２に破線で示すように、被写体側からの音声はパラボリック形状をしたフード内面９ａで反射され、効率的に第一マイク１０に向けられる。図示の例では、第一マイク１０がレンズ鏡筒の外周面５ｃの上方に一個設けられているが、ほぼ同じ円周上であれば外周面５ｃの左右や下方に設けてもよく、複数個設けてもよい。
【００１５】
また、図３に示すように、カメラボディの上面２ｄには、撮影時に押圧操作されるレリーズボタン１７、撮影モードの切替えや各種の設定操作を行うときに撮影者によって操作される操作部１８が設けられ、さらに上面２ｄから背面（図示なし）にかけて第二マイク１９が設けられている。この第二マイク１９は、撮影者がメッセージなどを録音するときに用いられる。第二マイクに接続された信号線２０（図４参照）は、第一マイク同様、音声データ処理回路４４（図４参照）につながるＡ／Ｄ変換回路４３（図４参照）に接続される。
【００１６】
カメラボディ背面（図示なし）には、撮影画像が表示される液晶パネル２１、音声を取得する際に用いる録音ボタン２２、電源スイッチ２３が設けられている。
【００１７】
図４にこのデジタルカメラの電気的構成の概略を示す。撮影レンズ６の背後には、ＣＣＤイメージセンサ３０が配置されている。ＣＣＤイメージセンサ３０は、ＣＣＤドライバ３１の駆動により光学的な被写体画像を電気的な撮像信号に変換して出力する。撮像信号は、アンプ３２で適当なレベルに増幅された後、Ａ／Ｄ変換回路３３によってデジタル変換して画像データを生成し、これを画像データ処理回路３４に入力する。画像データ処理回路３４は入力された画像データを基に、映像信号を生成し、液晶制御回路３５に出力する。液晶制御回路３５は、液晶パネル２１を駆動させ、前記画像データに基づいた画像を液晶パネル２１に表示する。
【００１８】
システム制御部３６はＣＰＵを含むマイクロコンピュータから構成され、上述した撮影処理及び画像表示処理を管制する。また、レリーズボタン１７が押圧操作されたときには、メモリ制御部４０にコマンドを送信して画像データをメモリ媒体４１に記録する。また、システム制御部３６はマイク駆動回路４２を介して第一マイク１０、第二マイク１９の作動を制御する。各マイクから得られた音声情報はＡ／Ｄ変換回路４３でデジタル化され、音声データ処理回路４４、システム制御部３６、メモリ制御部４０を経てメモリ媒体４１に記録される。
【００１９】
システム制御部３６は、操作部１８による設定状態に応じたコマンドをマイク駆動回路４２に送り、これにより第一マイク１０と第二マイク１９とを選択的に作動させる。通常の静止画撮影モードでは第二マイク１９だけが有効化され、静止画の画像データを記録した後の所定時間内に、撮影者が録音ボタン２２を押しながら話したメッセージが、その静止画の画像データと関連づけてメモリ媒体４１に記録される。動画撮影モードでは、動画撮影期間中に第一マイク１０だけが有効化され、被写体側からの音声を動画の画像データと関連づけてメモリ媒体４１に記録することができる。なお、動画撮影モード下では、第二マイク１９も有効化させるようにしてもよい。
【００２０】
以下、上記構成による作用について説明する。まず、静止画撮影モード及び動画撮影モードにして電源スイッチ２３をオンにすると、レンズ鏡筒５が沈胴位置から使用位置に繰り出される。その際、第一マイク１０がバネ１３の付勢により格納位置から音声取得位置に移動する。
【００２１】
レンズ鏡筒５が使用位置に繰り出されると、オートフォーカス装置が作動し、ＣＣＤイメージセンサ３０からの撮像信号に基づいて画像のコントラストを評価しながらフォーカスレンズがレンズ鏡筒内で移動調節されピント合わせが行われる。撮影された画像は液晶パネル２１にスルー画として表示される。なお、再生モードにして電源スイッチ２３をオンしたときには、レンズ鏡筒５は沈胴位置のままであり、液晶パネル２３には再生用のメニュー表示が行われる。
【００２２】
静止画撮影モードに設定した場合には、レリーズボタン１７を押すと、その時点で得られた画像データがメモリ媒体４１に書き込まれる。記録の後、録音ボタン２２を押すと第二マイク１９を用いてメッセージの録音が可能となる。音声データは画像データと対応づけてメモリ媒体４１に記録される。
【００２３】
一方、動画撮影モードに設定した場合には、レリーズボタン１７を押すことにより撮影・記録が開始され、操作部１８に設けられた動画撮影停止ボタンを操作するまで継続される。動画撮影中にレリーズボタン１７を押せば、その時点の静止画の画像データもメモリ媒体４１に保存しておくことができる。
【００２４】
動画撮影時には、第一マイク１０が作動し、被写体側からの音声を集音している。被写体側からの音声はパラボリック形状にしたレンズフードの内面９ａで第一マイク１０に向けられるので、効率的に集音され録音される。録音された音声は、画像データと対応づけてメモリ媒体４１に記録される。
【００２５】
動画撮影の後、必要に応じて第二マイク１９を用いて撮影者のメッセージも記録できる。音声データは、記録した動画の画像データと関連づけてメモリ媒体４１に記録されるので、再生時には動画とともにその音声も再生することができる。
【００２６】
電源スイッチ２３をオフすると、ＣＣＤイメージセンサ３０や液晶パネル２１の作動が停止し、レンズ鏡筒５が使用位置から沈胴位置に繰り込まれる。レンズ鏡筒５が沈胴位置に移動する途中で、固定筒４が第一マイク１０をバネ１３の付勢に抗して押し込むので、レンズ鏡筒５は沈胴位置まで確実に繰り込まれる。
【００２７】
なお、本実施例では、レンズ鏡筒５が沈胴位置と使用位置との二位置でのみ停止する例で説明したが、ズーミング操作に応じて複数の位置で停止させてもよい。この場合、レンズ鏡筒５をテレ側の位置に移動させるにつれて、第一マイク１０がレンズフード内面９ａのパラボリック形状の焦点に近づくようにすると効率的に音声を取得できる。
【００２８】
本実施例では、カメラボディ２の前面に固定筒４を突出して設けているが、固定筒４は必ずしも要しない。固定筒４を用いない場合には、カメラボディ２に開口だけを設け、この開口を通してレンズ鏡筒５を進退させ、その開口の縁にレンズフード９を装着すればよい。
【００２９】
本実施例では、第一マイ１０がバネ１３により、音声取得位置と格納位置を移動するとしたが、第一マイク１０がモーター等の電気的駆動源により移動する機構としてもよい。
【図面の簡単な説明】
【００３０】
【図１】本発明を実施したデジタルカメラの、レンズ鏡筒が使用位置に繰り出した状態での外観斜視図である。
【図２】本発明を実施したデジタルカメラの主要部の断面図である。
【図３】本発明を実施したデジタルカメラの、レンズ鏡筒が沈胴状態での外観斜視図である。
【図４】デジタルカメラの電気的構成を示すブロック図である。
【符号の説明】
【００３１】
２    カメラボディ
４    固定筒
５    レンズ鏡筒
５ｃ  外周面
６    撮影レンズ
８    レンズ鏡筒
９    レンズフード
９ａ  レンズフード内面
１０  第一マイク
１９  第二マイク
【図１】
2005124045.tif 000003
【図２】
2005124045.tif 000004
【図３】
2005124045.tif 000005
【図４】
2005124045.tif 000006